(57)【要約】      （修正有）【課題】安定して印鑑に合致させることができ、且つ、印鑑との嵌め合わせに際して大きな抵抗が生ずることを防止した印鑑キャップを提供する。【解決手段】この印鑑キャップは、外包部３と、該外包部３の内周面に取り付けられた保持リング４とを備える。外包部３は、先端が蓋部３２によって閉鎖された筒状体である。保持リング４は、両端が開放された筒状体であり、Ｃ字状のリング状をなす。保持リング４には、膨出部４１が形成され、印鑑の先端部１１に印鑑キャップを取り付けた際に、印鑑の先端部１１における外周面１１ｂに圧迫されて弾性変形する。保持リング４には、先端から基端方向に複数のスリット４３が形成されることによって、複数の脚部４４と、脚部４４間をつなぐリング状部４５とが形成されている。【選択図】図４
0003174772.tif 000002
【実用新案登録請求の範囲】
【請求項１】
先端に印面を備えた印鑑の先端部を覆う印鑑キャップであって、
前記印鑑キャップは、外包部と、前記外包部の内周面に取り付けられた保持リングとを備え、
前記外包部は、先端が蓋部によって閉鎖され、基端が開放された筒状をなし、
前記保持リングは、両端が開放された筒状をなし、
前記保持リングの内周面には、膨出部が一体に設けられたものであって、
前記膨出部は、保持リングの内周面のうちで、前記印鑑の先端部の通過を許容する基準面よりも内側に突出したものであり、
前記印鑑の先端部に前記印鑑キャップを取り付けた際に、前記膨出部が、前記印鑑の先端部における外周面に圧迫されて変形するものにおいて、
前記保持リングは、先端から前記膨出部よりも基端側に向けて複数の帯状のスリットが形成されることにより、前記スリットによる空間を挟んで隣合う複数の脚部と、前記脚部の基端間を結ぶリング状部とを備えるものであり、前記脚部に前記膨出部の少なくとも一部が設けられたことを特徴とする印鑑キャップ。
【請求項２】
前記膨出部は、前記保持リングの一部を内側へと膨出させることにより形成されたものであって、前記保持リングの内周面に周方向の全周にわたって設けられたものであり、
前記外包部の基端側には、前記保持リングの前記リング状部の基端と当接し得る抜け止め部が設けられており、
前記保持リングは、前記抜け止め部と前記蓋部との間に配置されたものであり、
前記帯状のスリットの幅が前記脚部の厚みよりも大きいものであり、
前記保持リングは、１箇所に切れ目を有するＣ字状のリングであることを特徴とする請求項１記載の印鑑キャップ。
【考案の詳細な説明】
【技術分野】
【０００１】
本考案は、印鑑の印面を保護するための印鑑キャップ、特に天然素材から形成した場合に大きな効果を発揮する印鑑キャップに関するものである。
【背景技術】
【０００２】
印鑑の材料として、従来から水牛の角や象牙などの天然素材が用いられてきた。そして、この印鑑の印面を磨耗や衝撃から保護するため、印鑑の先端部を覆うことができる印鑑キャップ（「サヤ」とも呼ばれる）もまた広く用いられてきた。
【０００３】
この印鑑キャップについても、デザイン上、印鑑と同一の天然素材が用いられることが多い。しかし、印鑑キャップを天然素材とした場合、印鑑本体に比べて薄く形成されるため、外気の影響を受けて変形しやすい。具体的には、外気中の水分の影響を受け、乾燥時には印鑑キャップが収縮して印鑑から外れにくくなり、無理に嵌めようとすることにより、印鑑の先端部の外周面に傷が発生する恐れがあった。一方、雨天時など湿度の高い時には、印鑑キャップが膨張して外れやすくなってしまい、印鑑キャップを紛失する恐れがあった。
【０００４】
この印鑑キャップの製造に当たっては、印鑑キャップが印鑑に対してぴったり合致するように、手作業で磨いたりしていた。なお、印鑑キャップを問題なく使用するためには、印鑑の寸法（外径）に対して、＋０．０３mm〜０．０５mmの公差でキャップの寸法（内径）を仕上げる必要があった。しかしながら、上記のような外気中の水分の影響により、この公差をはるかに超える変形が起こるため、ユーザーの手に印鑑が渡ってから、上記の不具合が発生することとなる。このことは、天然素材の印鑑キャップを用いる限りついて回る問題であって、やむなく合成樹脂製のキャップを用いざるを得ないなど、印鑑製造業者の永年の悩みとなっていた。また、合成樹脂製のキャップを用いた場合にあっても、加工精度の問題からくる緩みを完全に防止し得るものではなかった。
本考案者は、特許文献１に示す印鑑キャップを開発することによって、上述の問題を解決した。この特許文献１に示す印鑑キャップは実用化されて、印鑑キャップの外れの問題は解消し得たが、印鑑を印鑑キャップに嵌めるときの抵抗感があった。
【先行技術文献】
【特許文献】
【０００５】
【特許文献１】特許４４７８５４３号公報
【考案の開示】
【考案が解決しようとする課題】
【０００６】
本考案は上記のことに鑑み、印鑑を印鑑キャップに嵌めるときの抵抗感を緩和しつつ、印鑑キャップが印鑑から外れてしまうことを防止して、安定して印鑑に合致させることのできる印鑑キャップの提供を図らんとするものである。
【課題を解決するための手段】
【０００７】
本考案は、先端に印面を備えた印鑑の先端部を覆う印鑑キャップであって、前記印鑑キャップは、外包部と、前記外包部の内周面に取り付けられた保持リングとを備え、前記外包部は、先端が蓋部によって閉鎖され、基端が開放された筒状をなし、前記保持リングは、両端が開放された筒状をなし、前記保持リングの内周面には、膨出部が一体に設けられたものであって、前記膨出部は、保持リングの内周面のうちで、前記印鑑の前記先端部の通過を許容する基準面よりも内側に突出したものであり、前記印鑑の先端部に前記印鑑キャップを取り付けた際に、前記膨出部が、前記印鑑の先端部における外周面に圧迫されて変形するものの改良に関する。
【０００８】
本考案においては、前記保持リングは、先端から前記膨出部よりも基端側に向けて複数の帯状のスリットが形成されることにより、前記スリットによる空間を挟んで隣合う複数の脚部と、前記脚部の基端間を結ぶリング状部とを備えるものであり、前記脚部に前記膨出部の少なくとも一部が設けられたことを特徴とする。
【０００９】
そして、前記膨出部は、前記保持リングの一部を内側へと膨出させることにより形成されたものであって、前記保持リングの内周面に周方向の全周にわたって設けられたものであり、前記外包部の基端側には、前記保持リングのリング状部の基端と当接する抜け止め部が設けられており、前記保持リングの前記脚部の先端は、前記外包部の前記蓋部に当接することにより、前記保持リングは、前記抜け止め部と前記蓋部との間に配置されたものであり、前記帯状のスリットの幅が前記脚部の厚みよりも大きいものであり、前記保持リングは、１箇所に切れ目を有するＣ字状のリングであるものとして実施することが望ましい。
【考案の効果】
【００１０】
本考案の実施にあっては、外包部の内周面に取り付けられた保持リングの膨出部が、印鑑の先端部における外周面に圧迫されて変形することにより、膨出部を印鑑の先端部の外周面に密着させることができ、これにより、印鑑キャップが印鑑から脱落することを防止できる。従って、印鑑の印面を確実に保護することができ、特に天然素材で印鑑キャップを形成した場合にあっても、外気中の水分の影響を受けることなく、安定して印鑑に合致させることができる。
【００１１】
しかも、本考案においては、前記保持リングは、先端から前記膨出部よりも基端側に向けて複数の帯状のスリットが形成されることにより、前記スリットによる空間を挟んで隣合う複数の脚部と、前記の基端間を結ぶリング状部とを備えるものであり、前記脚部に前記膨出部が設けられたことによって、夫々の脚部が独立して弾性変形する。これにより、印鑑の先端部に印鑑キャップを嵌める際の抵抗を少なくすることができる。その際、スリットが細くて、外包部に装着した際に、隣合う脚部同士が接触していると、脚部同士が独立して弾性変形しようとしても、互いに緩衝し合って、うまく弾性変形することができず、逆に抵抗が大きくなってしまうおそれがあるが、本願にあっては、隣合う複数の脚部は、前記スリットによる空間を挟んで隣合うため、脚部同士が緩衝することを防止できる。
【００１２】
この帯状のスリットの幅は、前記脚部の厚みよりも大きいものであることが望ましく、また、保持リングは、１箇所に切れ目を有するＣ字状のリングであるものとすることによって、保持リングを外包部へ装着する作業を容易になすことができる。
【図面の簡単な説明】
【００１３】
【図１】本例の印鑑と印鑑キャップとを示す斜視図である。
【図２】本例の印鑑キャップの構造を示す分解縦断面図である。
【図３】（Ａ）は本例の印鑑キャップの保持リングの展開図、（Ｂ）は同Ｂ−Ｂ線断面図、（Ｃ）は同Ｃ−Ｃ線断面図である。
【図４】本例の印鑑の先端部を印鑑キャップに挿入する際の様子を示す縦断面図であり、（Ａ）は膨出部の変形前の状態を示し、（Ｂ）は膨出部の変形した状態を示す。
【考案を実施するための形態】
【００１４】
以下、図面に基づき本考案の実施の形態を説明する。
本例に係る印鑑キャップ２は、図１に示すように、印鑑１の先端に着脱可能に嵌められる。この印鑑１は、先端部１１が断面円形の丸印とされているが、本考案は、丸印に限られたものではなく、先端部１１の断面形状が四角形などの多角形の印鑑であっても良く、印鑑キャップの形状もそれに合わせて多角形などに変更して実施することができる。
【００１５】
印鑑１及び印鑑キャップ２の素材としては、水牛や牛の角、象牙やツゲなどの木材、その他種々の天然素材が利用できるが、合成樹脂や金属などの他の素材によっても実施することができる。
【００１６】
印鑑１の先端部１１には、通常の印鑑と同様、印面１１ａを備えており、刻印がなされている。印鑑キャップ２は、この印鑑部１１の先端部１１を覆うことができるものである。本例の印鑑キャップ２は、図２に示すように、外包部３と保持リング４とからなる。
【００１７】
外包部３は、印鑑１と同一の天然素材から形成されている。外包部３の形状は、基端側に開口部３４が形成され、この開口部３４から印鑑１の先端部１１が挿入される。外包部３の先端側には、蓋部３２が設けられており、外包部３は、全体として、一端が閉鎖された、中空の筒状体をなす。この外包部３の内周面３１に保持リング４が取り付けられている。
【００１８】
保持リング４は、上記外包部３の内周面３１に取り付けられるものである。本例においては、合成樹脂製であり、両端が開口された中空の筒状体とされている。具体的に本例では、熱可塑性樹脂であるポリオキシメチレン（ＰＯＭ）が用いられている。この樹脂は、耐薬品性、耐クリープ性、耐疲労性、耐摩擦磨耗性に優れるものであり、朱肉の成分が付着しても、腐蝕する恐れのないものである。なお、本考案の保持リング４に用いる素材は、これに限られたものではなく、他の合成樹脂や金属などの弾性を有する素材を用いたものであっても良い。
【００１９】
この保持リング４は、予め完全な筒状（軸方向において切断されていない無端の環状）に形成されたものであってもよいが、この実施の形態においては、１箇所に切れ目を有するＣ字状のリングとして実施されている。その展開図を図３（Ａ）に示す。この保持リング４は、展開図に示すような平板状のものであってもよいが、予めＣ字状の立体形状に形成したものの方が、外包部３への装着作業が容易である。
【００２０】
本例の保持リング４は、外包部３への装着状態において、下記の膨出部４１を除く内周面である基準面４２の径が、印鑑１の先端部１１の外径よりも大きく形成されたものである。つまり、上記の外包部３に取り付けられた状態において、印鑑１の先端部１１の通過を許容する大きさのものである。
【００２１】
この保持リング３においては、図２に示すように、膨出部４１が、保持リング４の一部を内側へと膨出させることにより形成されており、膨出部４１の外側は変形許容空間４１ａを有する溝状とされている。つまり、膨出部４１は、保持リング４の板厚が略同一で、そのまま内側に膨出された部分となっている。本例では、１列の膨出部４１が、保持リング４の内周面に、周方向の全周にわたって設けられている。
【００２２】
この膨出部４１は、保持リング４の内周面のうちで、基準面４２よりも内側に突出したものである。本例においては、保持リング４が円筒状であるため、基準面４２の直径よりも膨出部４１の直径の方が小さく形成されたものである。そしてこの膨出部４１が、図４に示すように、印鑑１の先端部１１に印鑑キャップ２を取り付けた際に、印  鑑１の先端部１１における外周面１１ｂに圧迫されて変形可能となっている。
【００２３】
この保持リング４は、先端（図２（Ａ）、図３（Ａ）の下端）からスリット４３が形成されている。このスリット４３は、先端（図の下端）から、基端方向（図の上方向）に向けて伸びているもので、この例では、膨出部４１の基端（図の上端）にまで達している。このスリット４３が形成されることによって、保持リング４には、スリット４３による空間を挟んで隣合う複数の脚部４４と、脚部４４の基端間を結ぶリング状部４５とが形成されることになる。前述の膨出部４１の少なくとも一部（図では全部）が、脚部４４に形成されることになる。このスリット４３の幅（図の左右の幅）は、保持リング４の厚みよりも大きく、これによって、脚部４４が弾性変形した際、脚部４４同士が緩衝しない状態を保つことができ、それぞれの脚部４４が独立して変形することかできる。上記のスリット４３の幅は、膨出部４１における半径とリング状部４５における半径との差と、等しいか、それよりも大きいことか望ましく、具体的には、１mm以上あることが望ましい。
【００２４】
脚部４４の幅は、１mm以上、より望ましくは２mmあることが、印鑑１から印鑑キャップ２が抜けにくくするには適当である。他方、脚部４４は２本以上形成すればよいが、独立して円滑に変形するには３本以上であることが望ましく、より望ましくは４本以上とする。従って、スリット４３及び脚部４４の本数は、この例では８本としているが、印鑑の大きさにもよるが、４〜１６本程度とすることが好ましい。
【００２５】
ここで、図２に示すように、外包部３の内周面３１には抜け止め部３３が形成されている。この抜け止め部３３は、本例においては外包部３の開口部３４において、内側方向に突出して設けられたものである。そして、保持リング４は、外包部３の、上記抜け止め部３３と蓋部３２との間に配位される（図４（Ａ）参照）。抜け止め部３３は、保持リング４が外包部３から印鑑キャップ４の基端側に抜けることを防止するものである。本例では、抜け止め部３３が外包部３の開口部３４において全周にわたって連続して設けられているが、これに限られたものではなく、外包部３の内周面３１に突出した部分と突出しない部分とを交互に設け、抜け止め部３３が断続的に設けられたものとしても良い。また、本例においては、図４に示すように、抜け止め部３３の内面３３ａと保持リング４の基準面４２とが同一面を構成するものとされているが、印鑑１の先端部１１の通過の邪魔にならない寸法である限りは、保持リング４の基準面４２に対して段差を形成するものであっても良い。
また、上記とは逆に、抜け止め部３３に相当する部分を残して、外包部３の内周面３１に保持リング４を嵌めるための取り付け溝を切削によって形成しても良い。
【００２６】
装着に際しては、この例では保持リング４がＣ字状のリングとして実施されているため、Ｃ字状のリングを摘むなどして弾性変形させて、その径を小さくして、外包部３の内周面３１の抜け止め部３３の箇所を通過させる。その後、手を放すなどして、摘みにより力を解除することで、保持リング４は、外包部３の、上記抜け止め部３３と蓋部３２との間にスムーズに装着される。
【００２７】
しかも、保持リング４は、前述のように、先端側からスリット４３を設けたものであり、先端側においては、複数の脚部４に分断されているが、基端側においてはリング状部４５が、Ｃ字状の一箇所の切れ目を除いて、周方向に連続している。そのため、外包部３の抜け止め部３３に対して、安定して支持される。特に、次に述べるように、印鑑１を抜き差しする場合にあっても、リング状部４５が抜け止め部３３からはみ出したりするおそれがない。
【００２８】
ここで、保持リング４の軸方向寸法Ｌ４よりも、外包部３の、上記抜け止め部３３と蓋部３２との間の寸法Ｌ３の方が大きく形成されている。よって、保持リング４は、外包部３の、上記抜け止め部３３と蓋部３２との間において、遊びを持って、つまり、軸方向に移動可能に配位される。
【００２９】
印鑑キャップ２に印鑑１の先端部１１が取り付けられる際において、図４（Ｂ）に示すように、印鑑１の先端部１１における外周面１１ｂに圧迫され、膨出部４１が押しつぶされるように変形するが、その際において膨出部４１の変形した分だけ、保持リング４の軸方向の寸法Ｌ４が伸びる。よって、外包部３と保持リング４との間での、上記軸方向の遊びが、この保持リング４の寸法変化を吸収することができ、印鑑１の先端部１１に対して無理な力がかからず、印鑑キャップ２を容易に取り付けることができる。
【００３０】
図４（Ａ）に示すように、外包部３に保持リング４が取り付けられた状態の印鑑キャップ２に、印鑑１の先端部１１を挿入すると、保持リング４が、印鑑１の先端部１１の外周面１１ｂよりも内側に突出しているため、図４（Ｂ）に示すように、前記の複数の脚部４４における膨出部４１の夫々が、印鑑１の先端部１１の外周面１１ｂによって圧迫され、変形許容空間４１ａがつぶれるように変形する。そして、この変形した膨出部４１を、印鑑１の先端部１１の外周面１１ｂに密着させることができ、これにより印鑑１が保持されるため、印鑑キャップ２が印鑑１から脱落することがない。特に、複数の脚部４４における膨出部４１の夫々が独立して弾性変形すると共に隣合う脚部４４の緩衝が起らないため、極端に大きな抵抗がなく、印鑑１に印鑑キャップ２を嵌めることができる。
【００３１】
なお、印鑑１として本例のように丸印を用いた場合、膨出部４１の直径と印鑑１の直径とに０．２mmの差があれば、安定的な嵌め合わせが可能である。よって、従来のように外気中の水分の影響により、印鑑キャップ２の外包部３が膨張・収縮して寸法変化が発生した場合であっても、印鑑キャップ２の保持リング４における膨出部４１が、これを吸収し、常に、印鑑キャップ２が取り付いた状態を保持できる。
【００３２】
上記保持リング４の膨出部４１については、保持リング４の軸方向の中間部分に設けたが、その先端寄りや、基端寄りに設けても良い。また、本例では設けられた膨出部４１は１本としたが、２本以上であっても良く、また、螺旋状に周回させて設けても良い。更には、本例のように全周には設けずに、断続的な突起として設けても良い。
【００３３】
また、本例では膨出部４１が保持リング４の一部として一体成型されたものであるが、これに限られたものではなく、外包部３の内周面３１に取り付けるための部分と、膨出部４１とを別々に形成したものであっても良い。
また、本例のように外包部３に抜け止め部３３を設けずに、外包部３の内周面３１に保持リング４を接着や凹凸の嵌合により取り付けたものとしても良い。
【００３４】
また、本例では、リング体４のＣ字状リングの切れ目を、スリット４３のない位置（即ち脚部４４とリング状部４５との双方を分断する位置）に設けたが、スリット４３のある位置（即ちリング状部４５のみを分断する位置）に設けることもできる。
【符号の説明】
【００３５】
１      印鑑
１１    印鑑の先端部
１１ａ  印面
１１ｂ  印鑑の先端部の外周面
２      印鑑キャップ
３      外包部
３１    外包部の内周面
３２    蓋部
３３    抜け止め部
４      保持リング
４１    膨出部
４２    基準面
４３    スリット
４４    脚部
４５    リング状部
Ｌ３    外包部の抜け止め部と蓋部との間の軸方向寸法
Ｌ４    保持リングの軸方向寸法
【図１】
0003174772.tif 000003
【図２】
0003174772.tif 000004
【図３】
0003174772.tif 000005
【図４】
0003174772.tif 000006